(57)【特許請求の範囲】
【請求項１】
複数のユーザの端末装置から、ネットワークを介して、一定の期間、複数の画像を取得する画像取得部と、
前記複数の画像の各々の内容を解析する画像解析部と、
前記各々の画像の解析結果に基づいて、前記各々の画像の解析評価値を算出する評価値算出部と、
前記複数のユーザの端末装置から、前記ネットワークを介して、前記一定の期間、前記複数のユーザによって付与された前記各々の画像に対する評価を表す評価情報を取得する評価情報取得部と、
前記一定の期間が経過した後、前記各々の画像の解析結果に基づいて、前記複数の画像のうち、互いに類似する複数の類似画像を特定して、各々前記複数の類似画像を含む１以上のグループを形成するグループ形成部を備え、
前記評価値算出部は、前記グループ毎に、前記複数の類似画像に対する高評価を表す評価情報に基づいて、前記複数の類似画像の各々の解析評価値に対して値を加算して総合評価値を算出する画像処理装置。
【請求項２】
前記評価値算出部は、一律に同じ値を、前記各々の類似画像の解析評価値に対して加算する請求項１に記載の画像処理装置。
【請求項３】
前記評価値算出部は、前記各々の類似画像の解析評価値が大きいほど重みが重くなるように重み付けした値を、前記各々の類似画像の解析評価値に対して加算する請求項１に記載の画像処理装置。
【請求項４】
さらに、前記一定の期間が経過した後、前記各々の画像に対する前記高評価を表す評価情報の数を算出する評価数算出部と、
前記グループ毎に、前記複数の類似画像のうち、前記解析評価値が閾値を超える類似画像を抽出する類似画像抽出部とを備え、
前記評価値算出部は、前記複数の類似画像に対する前記高評価を表す評価情報の数が多いほど重みが重くなるように重み付けした値を、前記類似画像抽出部によって抽出された類似画像の解析評価値に対して加算する請求項１に記載の画像処理装置。
【請求項５】
さらに、前記一定の期間が経過した後、前記各々の画像に対する前記高評価を表す評価情報の数を算出する評価数算出部と、
前記グループ毎に、前記複数の類似画像のうち、前記高評価を表す評価情報の数が最も多い類似画像を特定する類似画像特定部とを備え、
前記評価値算出部は、前記類似画像特定部によって特定された類似画像に対する前記高評価を表す評価情報の数が多いほど重みが重くなるように重み付けした値を、前記各々の類似画像の解析評価値に対して加算する請求項１に記載の画像処理装置。
【請求項６】
さらに、前記一定の期間が経過した後、前記各々の画像に対する前記高評価を表す評価情報の数を算出する評価数算出部を備え、
前記評価値算出部は、前記複数の類似画像に対する前記高評価を表す評価情報の数が多いほど重みが重くなるように重み付けした値を、前記各々の類似画像の解析評価値に対して加算する請求項１に記載の画像処理装置。
【請求項７】
前記評価値算出部は、前記一定の期間のうち、前記高評価を表す評価情報が付与された時刻が遅いほど重みが重くなるように重み付けした値を、前記各々の画像の解析評価値に対して加算する請求項１ないし６のいずれか一項に記載の画像処理装置。
【請求項８】
前記評価値算出部は、前記各々の画像を閲覧したユーザの数に対する前記高評価を表す評価情報を付与したユーザの数の割合が大きくなるほど重みが重くなるように重み付けした値を、前記各々の画像の解析評価値に対して加算する請求項１ないし６のいずれか一項に記載の画像処理装置。
【請求項９】
前記評価値算出部は、さらに、前記各々の画像を閲覧したユーザの数が多くなるほど重みが重くなるように重み付けした値を、前記各々の画像の解析評価値に対して加算する請求項８に記載の画像処理装置。
【請求項１０】
前記評価値算出部は、前記複数の画像に含まれる画像の閲覧回数が少ないユーザの端末装置から取得された前記高評価を表す評価情報よりも、前記閲覧回数が多いユーザの端末装置から取得された前記高評価を表す評価情報の方が、重みが重くなるように重み付けした値を、前記各々の画像の解析評価値に対して加算する請求項１ないし６のいずれか一項に記載の画像処理装置。
【請求項１１】
さらに、前記複数のユーザのうちの少なくとも一人の第１ユーザによって設定された前記各々のユーザの重要度を、前記ネットワークを介して、前記第１ユーザの端末装置から取得する重要度設定部を備え、
前記評価値算出部は、前記重要度が低いユーザの端末装置から取得された前記高評価を表す評価情報よりも、前記重要度が高いユーザの端末装置から取得された前記高評価を表す評価情報の方が、重みが重くなるように重み付けした値を、前記各々の画像の解析評価値に対して加算する請求項１ないし６のいずれか一項に記載の画像処理装置。
【請求項１２】
前記重要度設定部は、前記複数のユーザのうち、あらかじめ設定されたユーザとの親密度が高いユーザほど前記重要度を高く設定する請求項１１に記載の画像処理装置。
【請求項１３】
前記重要度設定部は、あらかじめ設定された画像に関する知識が多いユーザの重要度を、前記画像に関する知識が多いユーザ以外のユーザの重要度よりも高く設定する請求項１１に記載の画像処理装置。
【請求項１４】
前記評価値算出部は、前記複数の画像に写っていないユーザの端末装置から取得された前記高評価を表す評価情報よりも、前記複数の画像に写っているユーザの端末装置から取得された前記高評価を表す評価情報の方が、重みが重くなるように重み付けした値を、前記各々の画像の解析評価値に対して加算する請求項１ないし６のいずれか一項に記載の画像処理装置。
【請求項１５】
前記評価値算出部は、前記画像取得部が前記複数のユーザのうちの一人の第２ユーザの端末装置から取得した画像に対して、前記第２ユーザ以外のユーザによって付与された前記高評価を表す評価情報よりも、前記第２ユーザによって付与された前記高評価を表す評価情報の方が、重みが重くなるように重み付けした値を、前記各々の画像の解析評価値に対して加算する請求項１ないし６のいずれか一項に記載の画像処理装置。
【請求項１６】
さらに、前記一定の期間が経過した後、前記各々の画像に対する前記高評価を表す評価情報の数を算出する評価数算出部を備え、
前記評価値算出部は、前記複数の類似画像に対する前記高評価を表す評価情報の数が多いほど重みが重くなるように重み付けした値を、前記各々の類似画像の解析評価値に対して加算する請求項１ないし６のいずれか一項に記載の画像処理装置。
【請求項１７】
前記評価情報取得部は、前記画像取得部が前記複数のユーザのうちの一人の第２ユーザの端末装置から取得した画像に対して、前記第２ユーザ自身が前記評価情報を付与することを禁止する請求項１ないし１４および１６のいずれか一項に記載の画像処理装置。
【請求項１８】
前記評価情報取得部は、前記各々のユーザの端末装置の画像表示部において、前記各々のユーザが前記複数の画像の中から選択した画像を拡大表示させ、前記拡大表示させた画像に対して付与した評価情報を取得する請求項１７に記載の画像処理装置。
【請求項１９】
前記評価情報取得部は、前記各々のユーザの端末装置の画像表示部において、前記各々のユーザが前記複数の画像を縮小画像として表示させ、各々の前記縮小画像に対して付与した評価情報を取得する請求項１７または１８に記載の画像処理装置。
【請求項２０】
さらに、前記各々の画像に対する前記高評価を表す評価情報の数を算出する評価数算出部を備え、
前記評価情報取得部は、前記各々のユーザの端末装置の画像表示装置において、前記各々のユーザが前記複数の画像を縮小画像として表示させた場合に、前記各々の画像に対する前記高評価を表す評価情報の数が多いほど、前記各々の画像に対応する縮小画像を拡大して表示させる請求項１７ないし１９のいずれか一項に記載の画像処理装置。
【請求項２１】
さらに、前記各々の画像を取得する毎に、前記各々の画像に対する前記評価情報の付与を催促する催促情報を、前記ネットワークを介して、前記複数のユーザの端末装置に対して送付する評価催促部を備える請求項１ないし２０のいずれか一項に記載の画像処理装置。
【請求項２２】
さらに、前記評価情報を付与する評価ユーザとして、前記複数のユーザのうちの少なくとも一人の第１ユーザによって設定された前記複数のユーザのうちの少なくとも一人の第３ユーザの情報を、前記ネットワークを介して、前記第１ユーザの端末装置から取得する評価ユーザ設定部を有し、
前記評価催促部は、前記催促情報を前記評価ユーザの端末装置に対して送付する請求項２１に記載の画像処理装置。
【請求項２３】
前記評価催促部は、電子メールまたはメッセージを送受信するアプリケーションを用いて、前記催促情報を送付する請求項２１または２２に記載の画像処理装置。
【請求項２４】
前記評価情報取得部は、さらに、前記複数のユーザによって付与された前記各々の画像に対する低評価を表す評価情報を取得し、
前記評価値算出部は、さらに、前記複数の画像に対する前記低評価を表す評価情報に基づいて、前記各々の画像の解析評価値から値を減算して前記総合評価値を算出する請求項１ないし２３のいずれか一項に記載の画像処理装置。
【請求項２５】
さらに、前記複数のユーザの端末装置から、前記ネットワークを介して、前記複数のユーザによって付与された前記各々の画像に対するコメントを取得するコメント取得部を備え、
前記評価値算出部は、前記複数の画像のうち、前記コメントが付与された画像の解析評価値に対して値を加算する請求項１ないし２４のいずれか一項に記載の画像処理装置。
【請求項２６】
さらに、前記複数の画像のうち、前記解析評価値が閾値を超える画像が前記各々のユーザの端末装置の画像表示部において表示される場合に、前記解析評価値が前記閾値を超える画像に対して、お勧め画像であることを表す情報を表示させるお勧め情報表示部を備える請求項１ないし２５のいずれか一項に記載の画像処理装置。
【請求項２７】
画像取得部が、複数のユーザの端末装置から、ネットワークを介して、一定の期間、複数の画像を取得するステップと、
画像解析部が、前記複数の画像の各々の内容を解析するステップと、
評価値算出部が、前記各々の画像の解析結果に基づいて、前記各々の画像の解析評価値を算出するステップと、
評価情報取得部が、前記複数のユーザの端末装置から、前記ネットワークを介して、前記一定の期間、前記複数のユーザによって付与された前記各々の画像に対する評価を表す評価情報を取得するステップと、
グループ形成部が、前記一定の期間が経過した後、前記各々の画像の解析結果に基づいて、前記複数の画像のうち、互いに類似する複数の類似画像を特定して、各々前記複数の類似画像を含む１以上のグループを形成するステップと、
評価値算出部が、前記グループ毎に、前記複数の類似画像に対する高評価を表す評価情報に基づいて、前記複数の類似画像の各々の解析評価値に対して値を加算して総合評価値を算出するステップとを含む画像処理方法。
【請求項２８】
請求項２７に記載の画像処理方法の各々のステップをコンピュータに実行させるためのプログラム。
【請求項２９】
請求項２７に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザの端末装置からネットワークを介して取得された複数の画像を用いて、フォトブック等の合成画像を作成する画像処理装置、画像処理方法、プログラムおよび記録媒体に関する。
【背景技術】
【０００２】
フォトブックは、ユーザが所有する複数の画像（画像データ）を、インターネットを経由してサービス提供業者に送信し、送信した複数の画像を用いてユーザが希望するレイアウトの写真集を作成するサービスである。
【０００３】
フォトブックは、例えば、画像の連続性や関連性を考慮して、撮影時刻等に基づいて複数の画像を複数のグループに分類し、各々のグループに含まれる画像を各々対応するページに自動配置（自動レイアウト）することによって作成される。
【０００４】
近年では、一人のユーザが所有する複数の画像だけを用いてフォトブックを作成するだけでなく、複数のユーザが所有する複数の画像を用いて１つのフォトブックを作成するもの（特許文献１および２参照）、複数のユーザから寄せ書き用のメッセージを取得し、複数のユーザから取得した寄せ書きメッセージを用いて寄せ書きを作成するもの（特許文献３および４参照）、および、利用者がサムネイル画像の中から選択した画像を投票し、投票数の多い画像を含む電子アルバムを作成するもの（特許文献５）等が知られている。
【先行技術文献】
【特許文献】
【０００５】
【特許文献１】特開２００８−２５７３０８号公報
【特許文献２】特開２０１５−０６９４３１号公報
【特許文献３】特開２００１−２９７０５１号公報
【特許文献４】特開２０１５−１３３０００号公報
【特許文献５】特開２００９−３０３００２号公報
【発明の概要】
【発明が解決しようとする課題】
【０００６】
例えば、一定の期間、複数のユーザから複数の画像を取得し、例えば、取得した複数の画像のうち、ユーザによって付与された高評価を表す評価情報の数が多い画像を使用してフォトブック等の合成画像を作成する場合を考える。
【０００７】
この場合、取得した複数の画像の中に類似画像が存在すると、例えば、複数の類似画像のうち、高評価を表す評価情報が１つの類似画像のみに付与されることがある。つまり、他の類似画像もユーザの好みの画像であるにも関わらず、高評価を表す評価情報は付与されない。従って、評価情報の数に基づいて、各々の類似画像を正しく評価することができないという問題点があった。
【０００８】
本発明の目的は、複数の類似画像が存在する場合でも、評価情報に基づいて、各々の類似画像を正しく評価することができる画像処理装置、画像処理方法、プログラムおよび記録媒体を提供することにある。
【課題を解決するための手段】
【０００９】
上記目的を達成するために、本発明は、複数のユーザの端末装置から、ネットワークを介して、一定の期間、複数の画像を取得する画像取得部と、
複数の画像の各々の内容を解析する画像解析部と、
各々の画像の解析結果に基づいて、各々の画像の解析評価値を算出する評価値算出部と、
複数のユーザの端末装置から、ネットワークを介して、一定の期間、複数のユーザによって付与された各々の画像に対する評価を表す評価情報を取得する評価情報取得部と、
一定の期間が経過した後、各々の画像の解析結果に基づいて、複数の画像のうち、互いに類似する複数の類似画像を特定して、各々複数の類似画像を含む１以上のグループを形成するグループ形成部を備え、
評価値算出部は、グループ毎に、複数の類似画像に対する高評価を表す評価情報に基づいて、複数の類似画像の各々の解析評価値に対して値を加算して総合評価値を算出する画像処理装置を提供する。
【００１０】
ここで、評価値算出部は、一律に同じ値を、各々の類似画像の解析評価値に対して加算することが好ましい。
【００１１】
また、評価値算出部は、各々の類似画像の解析評価値が大きいほど重みが重くなるように重み付けした値を、各々の類似画像の解析評価値に対して加算することが好ましい。
【００１２】
さらに、一定の期間が経過した後、各々の画像に対する高評価を表す評価情報の数を算出する評価数算出部と、
グループ毎に、複数の類似画像のうち、解析評価値が閾値を超える類似画像を抽出する類似画像抽出部とを備え、
評価値算出部は、複数の類似画像に対する高評価を表す評価情報の数が多いほど重みが重くなるように重み付けした値を、類似画像抽出部によって抽出された類似画像の解析評価値に対して加算することが好ましい。
【００１３】
さらに、一定の期間が経過した後、各々の画像に対する高評価を表す評価情報の数を算出する評価数算出部と、
グループ毎に、複数の類似画像のうち、高評価を表す評価情報の数が最も多い類似画像を特定する類似画像特定部とを備え、
評価値算出部は、類似画像特定部によって特定された類似画像に対する高評価を表す評価情報の数が多いほど重みが重くなるように重み付けした値を、各々の類似画像の解析評価値に対して加算することが好ましい。
【００１４】
さらに、一定の期間が経過した後、各々の画像に対する高評価を表す評価情報の数を算出する評価数算出部を備え、
評価値算出部は、複数の類似画像に対する高評価を表す評価情報の数が多いほど重みが重くなるように重み付けした値を、各々の類似画像の解析評価値に対して加算することが好ましい。
【００１５】
また、評価値算出部は、一定の期間のうち、高評価を表す評価情報が付与された時刻が遅いほど重みが重くなるように重み付けした値を、各々の画像の解析評価値に対して加算することが好ましい。
【００１６】
また、評価値算出部は、各々の画像を閲覧したユーザの数に対する高評価を表す評価情報を付与したユーザの数の割合が大きくなるほど重みが重くなるように重み付けした値を、各々の画像の解析評価値に対して加算することが好ましい。
【００１７】
評価値算出部は、さらに、各々の画像を閲覧したユーザの数が多くなるほど重みが重くなるように重み付けした値を、各々の画像の解析評価値に対して加算することが好ましい。
【００１８】
また、評価値算出部は、複数の画像に含まれる画像の閲覧回数が少ないユーザの端末装置から取得された高評価を表す評価情報よりも、閲覧回数が多いユーザの端末装置から取得された高評価を表す評価情報の方が、重みが重くなるように重み付けした値を、各々の画像の解析評価値に対して加算することが好ましい。
【００１９】
さらに、複数のユーザのうちの少なくとも一人の第１ユーザによって設定された各々のユーザの重要度を、ネットワークを介して、第１ユーザの端末装置から取得する重要度設定部を備え、
評価値算出部は、重要度が低いユーザの端末装置から取得された高評価を表す評価情報よりも、重要度が高いユーザの端末装置から取得された高評価を表す評価情報の方が、重みが重くなるように重み付けした値を、各々の画像の解析評価値に対して加算することが好ましい。
【００２０】
また、重要度設定部は、複数のユーザのうち、あらかじめ設定されたユーザとの親密度が高いユーザほど重要度を高く設定することが好ましい。
【００２１】
また、重要度設定部は、あらかじめ設定された画像に関する知識が多いユーザの重要度を、画像に関する知識が多いユーザ以外のユーザの重要度よりも高く設定することが好ましい。
【００２２】
また、評価値算出部は、複数の画像に写っていないユーザの端末装置から取得された高評価を表す評価情報よりも、複数の画像に写っているユーザの端末装置から取得された高評価を表す評価情報の方が、重みが重くなるように重み付けした値を、各々の画像の解析評価値に対して加算することが好ましい。
【００２３】
また、評価値算出部は、画像取得部が複数のユーザのうちの一人の第２ユーザの端末装置から取得した画像に対して、第２ユーザ以外のユーザによって付与された高評価を表す評価情報よりも、第２ユーザによって付与された高評価を表す評価情報の方が、重みが重くなるように重み付けした値を、各々の画像の解析評価値に対して加算することが好ましい。
【００２４】
さらに、一定の期間が経過した後、各々の画像に対する高評価を表す評価情報の数を算出する評価数算出部を備え、
評価値算出部は、複数の類似画像に対する高評価を表す評価情報の数が多いほど重みが重くなるように重み付けした値を、各々の類似画像の解析評価値に対して加算することが好ましい。
【００２５】
さらに、各々の画像を取得する毎に、各々の画像に対する評価情報の付与を催促する催促情報を、ネットワークを介して、複数のユーザの端末装置に対して送付する評価催促部を備えることが好ましい。
【００２６】
さらに、評価情報を付与する評価ユーザとして、複数のユーザのうちの少なくとも一人の第１ユーザによって設定された複数のユーザのうちの少なくとも一人の第３ユーザの情報を、ネットワークを介して、第１ユーザの端末装置から取得する評価ユーザ設定部を有し、
評価催促部は、催促情報を評価ユーザの端末装置に対して送付することが好ましい。
【００２７】
また、評価催促部は、電子メールまたはメッセージを送受信するアプリケーションを用いて、催促情報を送付することが好ましい。
【００２８】
評価情報取得部は、さらに、複数のユーザによって付与された各々の画像に対する低評価を表す評価情報を取得し、
評価値算出部は、さらに、複数の画像に対する低評価を表す評価情報に基づいて、各々の画像の解析評価値から値を減算して総合評価値を算出することが好ましい。
【００２９】
さらに、複数のユーザの端末装置から、ネットワークを介して、複数のユーザによって付与された各々の画像に対するコメントを取得するコメント取得部を備え、
評価値算出部は、複数の画像のうち、コメントが付与された画像の解析評価値に対して値を加算することが好ましい。
【００３０】
さらに、複数の画像のうち、解析評価値が閾値を超える画像が各々のユーザの端末装置の画像表示部において表示される場合に、解析評価値が閾値を超える画像に対して、お勧め画像であることを表す情報を表示させるお勧め情報表示部を備えることが好ましい。
【００３１】
また、評価情報取得部は、画像取得部が複数のユーザのうちの一人の第２ユーザの端末装置から取得した画像に対して、第２ユーザ自身が評価情報を付与することを禁止することが好ましい。
【００３２】
また、評価情報取得部は、各々のユーザの端末装置の画像表示部において、各々のユーザが複数の画像の中から選択した画像を拡大表示させ、拡大表示させた画像に対して付与した評価情報を取得することが好ましい。
【００３３】
また、評価情報取得部は、各々のユーザの端末装置の画像表示部において、各々のユーザが複数の画像を縮小画像として表示させ、各々の縮小画像に対して付与した評価情報を取得することが好ましい。
【００３４】
さらに、各々の画像に対する高評価を表す評価情報の数を算出する評価数算出部を備え、
評価情報取得部は、各々のユーザの端末装置の画像表示装置において、各々のユーザが複数の画像を縮小画像として表示させた場合に、各々の画像に対する高評価を表す評価情報の数が多いほど、各々の画像に対応する縮小画像を拡大して表示させることが好ましい。
【００３５】
また、本発明は、画像取得部が、複数のユーザの端末装置から、ネットワークを介して、一定の期間、複数の画像を取得するステップと、
画像解析部が、複数の画像の各々の内容を解析するステップと、
評価値算出部が、各々の画像の解析結果に基づいて、各々の画像の解析評価値を算出するステップと、
評価情報取得部が、複数のユーザの端末装置から、ネットワークを介して、一定の期間、複数のユーザによって付与された各々の画像に対する評価を表す評価情報を取得するステップと、
グループ形成部が、一定の期間が経過した後、各々の画像の解析結果に基づいて、複数の画像のうち、互いに類似する複数の類似画像を特定して、各々複数の類似画像を含む１以上のグループを形成するステップと、
評価値算出部が、グループ毎に、複数の類似画像に対する高評価を表す評価情報に基づいて、複数の類似画像の各々の解析評価値に対して値を加算して総合評価値を算出するステップとを含む画像処理方法を提供する。
【００３６】
また、本発明は、上記に記載の画像処理方法の各々のステップをコンピュータに実行させるためのプログラムを提供する。
【００３７】
また、本発明は、上記に記載の画像処理方法の各々のステップをコンピュータに実行させるためのプログラムが記録されたコンピュータ読み取り可能な記録媒体を提供する。
【発明の効果】
【００３８】
本発明によれば、複数の類似画像が存在する場合でも、複数の類似画像に対する高評価および低評価を表す評価情報に基づいて、各々の類似画像を正しく評価して総合評価値を算出することができる。
【図面の簡単な説明】
【００３９】
【図１】本発明に係る画像処理装置の構成を表す一実施形態のブロック図である。
【図２】図１に示すサーバの構成を表す一実施形態のブロック図である。
【図３】図２に示す情報設定部の構成を表す一実施形態のブロック図である。
【図４】図２に示す情報管理部の構成を表す一実施形態のブロック図である。
【図５】図２に示すデータ取得部の構成を表す一実施形態のブロック図である。
【図６】図２に示すデータ解析部の構成を表す一実施形態のブロック図である。
【図７】図２に示す合成画像作成部の構成を表す一実施形態のブロック図である。
【図８】図１に示すユーザの端末装置の構成を表す一実施形態のブロック図である。
【図９】図１に示す画像処理装置の動作を表す一実施形態のフローチャートである。
【図１０】図９に続く画像処理装置の動作を表す一実施形態のフローチャートである。
【図１１】図１０に続く画像処理装置の動作を表す一実施形態のフローチャートである。
【図１２】合成画像の予算を設定する画面を表す一例の概念図である。
【図１３】フォトブックの表紙ページのデザインを設定する画面を表す一例の概念図である。
【図１４】フォトブックの寄せ書きページのデザインを設定する画面を表す一例の概念図である。
【図１５】画像および寄せ書きメッセージの募集締切日を設定する画面を表す一例の概念図である。
【図１６】合成画像の作成期間を設定する画面を表す一例の概念図である。
【図１７】画像商品の配送日を設定する画面を表す一例の概念図である。
【図１８】画像商材および日程の情報を確認する画面を表す一例の概念図である。
【図１９】アカウント情報を入力する画面を表す一例の概念図である。
【図２０】幹事ユーザのログインと、画像商材および日程の情報の保存とが完了したことを表す画面を表す一例の概念図である。
【図２１】参加ユーザの端末装置へ送付する招待状を作成するための画面を表す一例の概念図である。
【図２２】招待状の内容を確認するための画面を表す一例の概念図である。
【図２３】招待状を参加ユーザの端末装置へ送付するための画面を表す一例の概念図である。
【図２４】受け取った招待状を表す画面を表す一例の概念図である。
【図２５】合成画像において使用される画像、画像の評価情報、寄せ書きメッセージ等を参加ユーザがアップロードする画面にアクセスするための共通パスワードを入力するための画面を表す一例の概念図である。
【図２６】新規な参加ユーザを登録するための画面を表す一例の概念図である。
【図２７】参加ユーザとして登録する名前および秘密のコトバを登録するための画面を表す一例の概念図である。
【図２８】参加ユーザがアップロードする画像を選択するための画面を表す一例の概念図である。
【図２９】２以上の参加ユーザの端末装置から送信された複数の画像の各々を評価するための画面を表す一例の概念図である。
【図３０】寄せ書きページがフォトブックの巻末に入ることを通知する画面を表す一例の概念図である。
【図３１】寄せ書きページにおいて使用する参加ユーザのプロフィール画像を設定するための画面を表す一例の概念図である。
【図３２】寄せ書きメッセージを入力するための画面を表す一例の概念図である。
【図３３】参加ユーザが入力した寄せ書きメッセージを確認するための画面を表す一例の概念図である。
【図３４】寄せ書きメッセージのアップロードが完了したことを表す画面を表す一例の概念図である。
【発明を実施するための形態】
【００４０】
以下に、添付の図面に示す好適実施形態に基づいて、本発明の画像処理装置、画像処理方法、プログラムおよび記録媒体を詳細に説明する。
【００４１】
図１は、本発明に係る画像処理装置の構成を表す一実施形態のブロック図である。同図に示す画像処理装置１０は、合成画像の作成に関わる複数のユーザの端末装置からネットワーク１６を介して取得された複数の画像を用いて、寄せ書きページを含むフォトブック等の合成画像を作成する。画像処理装置１０は、サーバ１２と、ネットワーク１６を介してサーバ１２に接続された複数のユーザの端末装置（クライアント）１４とを備えている。
【００４２】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００４３】
端末装置１４は、サーバ１２に対して各種の指示を与えて種々のデータ処理を行わせるものであり、例えば、スマートフォン、タブレットPCまたはノートPC等により構成される。
【００４４】
ネットワーク１６は、例えば、電話回線またはインターネット回線等であり、有線または無線によってサーバ１２と端末装置１４との間を相互に接続し、双方向の通信を可能とする。
【００４５】
図２は、図１に示すサーバの構成を表す一実施形態のブロック図である。同図に示すサーバ１２は、合成画像に関する各種の情報を設定する情報設定部１８と、合成画像の作成に関する各種の情報を管理する情報管理部２０と、合成画像において使用する各種のデータを取得するデータ取得部２２と、合成画像において使用する各種のデータを解析するデータ解析部２４と、合成画像を作成する合成画像作成部２６とを備えている。
【００４６】
以下の説明では、本編ページおよび寄せ書きページを含む合成画像の作成に関わる複数のユーザのうち、合成画像を作成する一人のユーザを幹事ユーザと表現し、幹事ユーザを含む２以上のユーザを参加ユーザと表現する。例えば、幹事が友人グループのうちの一人である場合などがこれに該当する。
ただし、別の実施態様において、写真店が幹事の代行を請け負う場合のように幹事自体は写真もメッセージも提供しないような場合は、参加ユーザの数には幹事ユーザの数は含まないものとする。
【００４７】
図３は、図２に示す情報設定部の構成を表す一実施形態のブロック図である。同図に示す情報設定部１８は、予算設定部２８と、商材取得部３０と、表紙デザイン設定部３２と、寄せ書きデザイン設定部３４と、日程設定部３６と、重要度設定部７２と、評価ユーザ設定部７４とを備えている。
【００４８】
予算設定部２８は、幹事ユーザによって設定された合成画像の予算の情報を、ネットワーク１６を介して、幹事ユーザの端末装置１４から取得する。
【００４９】
続いて、商材取得部３０は、予算設定部２８によって取得された予算の情報に対応するサイズおよびページ数の１以上の画像商材（画像商材の情報）の中から、幹事ユーザによって設定された１つの画像商材を、ネットワーク１６を介して、幹事ユーザの端末装置１４から取得する。
【００５０】
画像商材は、画像商品を作成するための素材であり、例えば、フォトブック等のフォトアルバム、シャッフルプリント、画像付きカレンダ等を含む。画像は主に写真である。
また、画像商材には、各々サイズおよびページ数のうちの少なくとも一方が異なる複数種類の画像商材が含まれる。画像商材のページ数は、本編ページおよび寄せ書きページを含むページ数である。画像商品には、紙媒体の画像商品および電子データの画像商品が含まれる。
本発明にいうページとは、画像配置および寄せ書き配置を行う単位をいう。本実施形態においては、見開きページのことを指す。しかし他の実施形態においては片面ページであってもよい。また、本実施形態内の画像処理装置１０の内部では見開きページを単位とし、かつユーザには片面ページを単位として画像商材のページ数を表示することとしてもよい。
【００５１】
フォトブックは、例えば、ユーザが選択した複数の画像を、ユーザの所望のレイアウトで複数のページに配置した合成画像である。フォトブックはまた、ユーザが保有する所望の期間（例えば一年分）の画像から、自動選択により選択された画像を、自動レイアウトで複数のページに配置した合成画像であってもよい（例えば富士フイルム株式会社製のイヤーアルバム）。また、シャッフルプリントは、複数の画像をシャッフルして１枚のプリントに配置した合成画像である。画像付きカレンダは、例えば、各月のカレンダに対応する画像を配置した合成画像である。
【００５２】
本実施形態の場合、合成画像は、寄せ書きページを巻末に含むフォトブックである。寄せ書きページは、参加ユーザの端末装置１４から取得された２以上の参加ユーザの寄せ書きメッセージが配置された合成画像である。寄せ書きメッセージは、寄せ書きページにおいて使用される参加ユーザのメッセージである。
また、寄せ書きメッセージに加えて、プロフィール画像を寄せ書きページに配置してもよい。プロフィール画像は、例えば、参加ユーザの顔画像であるが、その他の画像でもよい。
【００５３】
続いて、表紙デザイン設定部３２は、１以上の表紙ページのデザインの中から、幹事ユーザによって設定された１つの表紙ページのデザインの情報を、ネットワーク１６を介して、幹事ユーザの端末装置１４から取得する。
【００５４】
表紙ページのデザインの情報には、例えば、表紙ページの模様、表紙ページに描かれているイラスト等のデザインの情報の他、表紙ページに記載される合成画像のタイトルの情報、表紙ページの色の情報等が含まれる。
【００５５】
続いて、寄せ書きデザイン設定部３４は、１以上の寄せ書きページのデザインの中から、幹事ユーザによって設定された１つの寄せ書きページのデザインの情報を、ネットワーク１６を介して、幹事ユーザの端末装置１４から取得する。
【００５６】
寄せ書きページのデザインの情報には、例えば、参加ユーザのプロフィール画像および寄せ書きメッセージを寄せ書きページに配置する位置および大きさ等があらかじめ設定されたテンプレートの情報等を含む。
【００５７】
続いて、日程設定部３６は、幹事ユーザによって設定された画像および寄せ書きメッセージの募集締切日、合成画像の作成期間、および、画像商品の配送日を含む日程の情報を、ネットワーク１６を介して、幹事ユーザの端末装置１４から取得する。
【００５８】
画像および寄せ書きメッセージの募集締切日は、参加ユーザが画像および寄せ書きメッセージをアップロード（投稿）することができる期限、つまり、画像処理装置１０が参加ユーザの端末装置１４から画像および寄せ書きメッセージを取得することができる期限を表す。
また、合成画像の作成期間は、幹事ユーザが、複数のユーザの端末装置１４から取得された複数の画像を用いて合成画像を作成するための期間、言い換えると、画像商品を注文する期限を表し、画像商品の配送日は、画像商品を配送する日付を表す。
【００５９】
続いて、重要度設定部７２は、複数のユーザのうちの少なくとも一人の第１ユーザ、例えば、幹事ユーザによって設定された合成画像の作成に関わる各々の参加ユーザの重要度を、ネットワーク１６を介して、幹事ユーザの端末装置１４から取得する。
【００６０】
例えば、複数のユーザのうち、あらかじめ設定されたユーザとの親密度が高い参加ユーザほど、重要度を高く設定することができる。例えば、結婚式の画像において、主人公である新郎新婦との親密度が高い友人であるほど、重要度を高く設定する。
【００６１】
この場合、あらかじめ設定されたユーザおよび親密度は、例えば、幹事ユーザによって設定される。また、親密度は、各々の画像の解析結果に基づいて自動で算出することもできる。例えば、複数の画像において、登場回数が多い参加ユーザ、登場日数が多い参加ユーザ、および、あらかじめ設定されたユーザと一緒に写っている画像の数が多い参加ユーザ等は、あらかじめ設定されたユーザとの親密度が高いと判定することができる。
【００６２】
また、あらかじめ設定された画像に関する知識が多い参加ユーザの重要度を、画像に関する知識が多い参加ユーザ以外の参加ユーザの重要度よりも高く設定することができる。
この場合、画像に関する知識が多い参加ユーザは、幹事ユーザによって設定される。
【００６３】
続いて、評価ユーザ設定部７４は、評価情報を付与する評価ユーザとして、複数のユーザのうちの少なくとも一人の第１ユーザ、例えば、幹事ユーザによって設定された、複数のユーザのうちの少なくとも一人の第３ユーザ、例えば、複数の参加ユーザのうちの少なくとも一人の参加ユーザの情報を、ネットワーク１６を介して、幹事ユーザの端末装置１４から取得する。
【００６４】
続いて、図４は、図２に示す情報管理部の構成を表す一実施形態のブロック図である。同図に示す情報管理部２０は、設定保存部３８と、アカウント情報保存部４０と、管理画面情報送付部４２と、アップロード催促部４４とを備えている。
【００６５】
設定保存部３８は、商材取得部３０によって取得された画像商材、および、日程設定部３６によって取得された日程の情報を保存する。
【００６６】
続いて、アカウント情報保存部４０は、幹事ユーザによって設定された幹事ユーザのアカウント情報を、ネットワーク１６を介して、幹事ユーザの端末装置１４から取得する。また、アカウント情報保存部４０は、参加ユーザによって設定された参加ユーザのアカウント情報を、ネットワーク１６を介して、参加ユーザの端末装置１４から取得して保存する。
【００６７】
例えば、幹事ユーザのアカウント情報は、幹事ユーザのメールアドレスおよび幹事パスワードである。一方、参加ユーザのアカウント情報は、参加ユーザの名前および個別パスワード（参加ユーザに対しては図２７にあるように「秘密のコトバ」と表示される）である。参加ユーザの名前は、幹事ユーザが参加ユーザを管理するために使用され、個別パスワードは、画像処理装置１０が参加ユーザを特定するために使用される。本実施形態の場合、秘密のコトバは、後から変更および再発行はできないものとする。
【００６８】
続いて、管理画面情報送付部４２は、幹事ユーザが、画像商材および日程等を管理する管理画面にアクセスするためのURL（Uniform Resource Locator）を含むメッセージを、ネットワーク１６を介して、幹事ユーザの端末装置１４に送付する。幹事ユーザは、管理画面から画像商材および日程の変更の他、幹事ユーザの変更、幹事ユーザの追加（例えば後述する副幹事の追加）等を行うことができる。
【００６９】
管理画面情報送付部４２は、例えば、電子メールにより、管理画面にアクセスするためのURLを含むメッセージを、アカウント情報保存部４０によって取得された幹事ユーザのメールアドレスに送付する。
【００７０】
続いて、アップロード催促部４４は、幹事ユーザによって作成された招待状を、ネットワーク１６を介して、参加ユーザの端末装置１４へ送付する。
【００７１】
招待状は、参加ユーザを合成画像の作成に招待し、合成画像において使用される画像、各々の画像に対する評価情報、プロフィール画像および寄せ書きメッセージ等をアップロードすることを参加ユーザに催促する催促情報である。
【００７２】
アップロード催促部４４は、招待状を、例えば、SNS（Social Networking Service：ソーシャルネットワーキングサービス）のメッセージ、または、電子メールによって参加ユーザの端末装置１４に送付する。
【００７３】
続いて、図５は、図２に示すデータ取得部の構成を表す一実施形態のブロック図である。同図に示すデータ取得部２２は、画像取得部４６と、評価情報取得部４８と、メッセージ取得部５０と、評価催促部７６と、コメント取得部７８とを備えている。
【００７４】
画像取得部４６は、一定の期間、本実施形態の場合、招待状が送付されてから、日程設定部３６によって設定された画像および寄せ書きメッセージの募集締切日までの期間、２以上の参加ユーザの端末装置１４からネットワーク１６を介して送信された複数の画像（画像群）を取得する。また、画像取得部４６は、各々の参加ユーザによって設定された参加ユーザのプロフィール画像を取得する。
【００７５】
続いて、評価情報取得部４８は、同じく一定の期間、２以上の参加ユーザによって付与された各々の画像に対する評価を表す評価情報を、ネットワーク１６を介して、２以上の参加ユーザの端末装置１４から取得する。
【００７６】
画像の評価情報は、各々の画像に対する各々の参加ユーザの評価、例えば、高評価または低評価を表す情報である。
【００７７】
続いて、メッセージ取得部５０は、同じく一定の期間、各々の参加ユーザによってアップロードされた寄せ書きメッセージを、ネットワーク１６を介して、各々の参加ユーザの端末装置１４から取得する。
【００７８】
続いて、評価催促部７６は、画像取得部４６が各々の画像を取得する毎に、各々の画像に対する評価情報の付与を催促する催促情報を、ネットワーク１６を介して、複数のユーザの端末装置１４に対して送付する。
【００７９】
評価催促部７６は、例えば、電子メール、または、SNS等のメッセージを送受信するアプリケーションを用いて、催促情報を送付することができる。
【００８０】
続いて、コメント取得部７８は、複数のユーザの端末装置１４から、ネットワーク１６を介して、複数のユーザによって付与された各々の画像に対するコメントを取得する。
【００８１】
画像に対するコメントは、例えば、本編ページにおいて、対応する画像と組み合わせて配置される。
【００８２】
続いて、図６は、図２に示すデータ解析部の構成を表す一実施形態のブロック図である。同図に示すデータ解析部２４は、画像数算出部５２と、評価数算出部５４と、メッセージ数算出部５６と、画像解析部５８と、評価値算出部６０と、グループ形成部８０と、類似画像抽出部８２と、類似画像特定部８４と、お勧め情報表示部８６とを備えている。
【００８３】
画像数算出部５２は、アップロード催促部４４によって招待状が送付されてから一定の期間が経過した後、つまり、画像および寄せ書きメッセージの募集締切日が過ぎた後、画像取得部４６によって取得された画像の数を算出する。
【００８４】
続いて、評価数算出部５４は、同じく画像および寄せ書きメッセージの募集締切日が過ぎた後、評価情報取得部４８によって取得された高評価および低評価を表す評価情報の数を算出する。
【００８５】
続いて、メッセージ数算出部５６は、同じく画像および寄せ書きメッセージの募集締切日が過ぎた後、メッセージ取得部５０によって取得された寄せ書きメッセージの数を算出する。
【００８６】
続いて、画像解析部５８は、画像取得部４６によって取得された各々の画像の内容を解析する。本実施形態の場合、画像解析部５８は、画像取得部４６によって画像が取得される毎に、画像解析を行う。
【００８７】
画像解析部５８は、例えば、画像の明るさや色合い、ボケおよびブレの程度等の解析の他、画像に人物の顔が含まれる場合には、顔の大きさ、顔の位置、顔の向き、顔の肌色、笑顔等の表情、目線、画像に含まれる人物の数、人物の位置関係等の解析を行う。
【００８８】
続いて、評価値算出部６０は、画像解析部５８による各々の画像の解析結果に基づいて、各々の画像の解析評価値を算出する。また、評価値算出部６０は、評価情報取得部４８によって取得された各々の画像に対する高評価および低評価を表す評価情報に基づいて、各々の画像の解析評価値に対して値を加減算ないしは重み付けして、各々の画像の総合評価値を算出する。
【００８９】
評価値算出部６０は、例えば、評価数算出部５４によって算出された高評価を表す評価情報の数に基づいて、画像の解析評価値に対して値を加算し、低評価を表す評価情報の数に基づいて、画像の解析評価値に対して値を減算することによって画像の総合評価値を算出することができる。
【００９０】
画像の解析評価値は、画像の解析結果に基づいて算出されるため、画像の良し悪しを決定するための基準となり、解析評価値が高いほど、画質の良い画像であると言える。
画像の総合評価値は、画像の解析結果に加えて、参加ユーザによって付与された高評価および低評価を表す評価情報に基づいて算出されるため、画像の良し悪しに加えて、参加ユーザの好みを判断するための基準となり、総合評価値が高いほど、画質の良い画像、または、参加ユーザの好みの画像であると言える。
【００９１】
続いて、グループ形成部８０は、一定の期間が経過した後、各々の画像の解析結果に基づいて、複数の画像のうち、互いに類似する複数の類似画像を特定して、各々複数の類似画像を含む１以上のグループを形成する。
【００９２】
続いて、類似画像抽出部８２は、グループ形成部８０によって形成されたグループ毎に、グループに含まれる複数の類似画像のうち、解析評価値が閾値を超える類似画像（第１類似画像）を抽出する。
【００９３】
続いて、類似画像特定部８４は、グループに含まれる複数の類似画像のうち、高評価を表す評価情報の数が最も多い類似画像（第２類似画像）を特定する。
【００９４】
続いて、お勧め情報表示部８６は、複数の画像のうち、解析評価値が閾値を超える画像が各々のユーザの端末装置１４の画像表示部６８において表示される場合に、解析評価値が閾値を超える画像に対して、お勧め画像であることを表す情報を表示させる。
【００９５】
続いて、図７は、図２に示す合成画像作成部の構成を表す一実施形態のブロック図である。同図に示す合成画像作成部２６は、表紙作成部６２と、本編作成部６４と、寄せ書き作成部６６とを備えている。
【００９６】
表紙作成部６２は、設定保存部３８に保存された商材の情報、および、表紙デザイン設定部３２によって取得された表紙ページのデザインの情報に対応するデザインの表紙ページを作成する。
【００９７】
続いて、本編作成部６４は、画像取得部４６によって取得された複数の画像を用いて、設定保存部３８に保存された商材の情報に対応するページ数の本編ページ（表紙ページおよび寄せ書きページ以外のページ）を作成する。本編作成部６４は、設定保存部３８に保存された商材の情報に対応する合成画像、本実施形態の場合、フォトブックの本編ページを作成する。
【００９８】
本編作成部６４は、図示省略するが、画像分割部、画像抽出部および画像配置部等を備えている。
【００９９】
画像分割部は、画像取得部４６によって取得された複数の画像を、本編ページのページ数に対応する数のグループに分割する。
【０１００】
画像抽出部は、画像のグループ毎に、画像の総合評価値に基づいて、グループに含まれる画像の中から、本編ページにおいて使用する複数の合成対象画像を抽出する。
【０１０１】
画像配置部は、画像のグループ毎に、画像の総合評価値に基づいて、画像抽出部によって抽出された各々の合成対象画像のサイズおよび本編ページにおける配置位置を決定し、合成対象画像を、画像のグループに対応するページの本編ページに配置（自動レイアウト）する。
【０１０２】
続いて、寄せ書き作成部６６は、メッセージ取得部５０によって取得された参加ユーザのプロフィール画像および寄せ書きメッセージを用いて、寄せ書きページを作成する。寄せ書き作成部６６は、設定保存部３８に保存された商材の情報、および、寄せ書きデザイン設定部３４によって取得された寄せ書きのデザインの情報に対応するデザインの寄せ書きページを作成する。
【０１０３】
寄せ書き作成部６６は、図示省略するが、メッセージ分割部およびメッセージ配置部等を備えている。
【０１０４】
メッセージ分割部は、メッセージ取得部５０によって取得された寄せ書きメッセージを、寄せ書きページのページ数に対応する数のグループに分割する。
【０１０５】
メッセージ配置部は、寄せ書きメッセージのグループ毎に、グループに含まれる寄せ書きメッセージを、寄せ書きメッセージのグループに対応するページの寄せ書きページに配置する。
【０１０６】
寄せ書きページのページ数は、参加ユーザの数および寄せ書きメッセージの数等に応じて設定される。また、本編ページのページ数は、合成画像のページ数および寄せ書きページのページ数等に応じて設定される。本実施形態の場合、参加ユーザの数を２〜３６人とし、１ページの寄せ書きページに２〜１２の寄せ書きメッセージを配置し、１６ページのフォトブックを作成するものとする。
【０１０７】
上記情報設定部１８、情報管理部２０、データ取得部２２、データ解析部２４、合成画像作成部２６を構成する各部位は、例えば、CPU（Central Processing Unit：中央処理装置）等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュアデジタル）メモリ等の記憶デバイスに保存される。
【０１０８】
次に、図８は、図１に示すユーザの端末装置の構成を表す一実施形態のブロック図である。同図に示すユーザの端末装置１４は、画像表示部６８と、指示入力部７０とを備えている。
【０１０９】
端末装置１４において、画像表示部６８は、各種の設定画面、選択画面、確認画面、入力画面、作成画面等を表示するものであり、例えば、液晶ディスプレイ等の表示デバイスによって構成される。
【０１１０】
続いて、指示入力部７０は、ユーザによって入力された各種の設定指示、選択指示、確認指示、入力指示、作成指示等を取得するものであり、例えば、キーボードおよびマウス等の入力デバイスによって構成される。
【０１１１】
本実施形態の場合、画像表示部６８および指示入力部７０は、タッチパネル等のように、表示デバイスおよび入力デバイスが一体化されたデバイスによって構成される。
【０１１２】
端末装置１４は、合成画像の作成に関わる各々のユーザに１対１に対応して１台である必要はなく、画像処理装置１０における各々のユーザのアカウントに対応することができるものであれば、各々のユーザに対応して複数台であってもよい。
【０１１３】
図示省略しているが、サーバ１２および端末装置１４は、例えば、サーバ１２と端末装置１４との間で各種データの送受信を行う通信デバイス等である送受信部、各部位の動作を制御するCPU等である制御部等を備えている。
【０１１４】
次に、図９〜図１１に示すフローチャートおよび図１２〜図３４に示す表示画面を参照しながら、画像処理装置１０の動作を説明する。
【０１１５】
合成画像を作成する場合、まず、幹事ユーザは、幹事ユーザの端末装置１４において、指示入力部７０を介して、画像処理装置１０が提供する、合成画像を作成するためのウェブサイトにアクセスする。
【０１１６】
合成画像を作成するためのウェブサイトにアクセスすると、図１２に示すように、予算設定部２８により、合成画像の予算を設定する画面が、幹事ユーザの端末装置１４の画像表示部６８に表示される。
【０１１７】
幹事ユーザは、合成画像の予算を設定する画面において、指示入力部７０を介して、幹事ユーザが作成する合成画像の予算を設定する。図１２の例では、プルダウンメニューによって、合成画像の予算の一覧があらかじめ登録されている。幹事ユーザは、プルダウンメニューに登録されている合成画像の予算の一覧の中から１つの予算、例えば、３０００円〜４０００円を選択して設定する。
【０１１８】
合成画像の予算が設定されると、予算設定部２８により、幹事ユーザによって設定された合成画像の予算の情報が、幹事ユーザの端末装置１４から取得される（ステップS1）。
【０１１９】
続いて、商材取得部３０により、予算の情報に対応する１以上の画像商材が提示される。図１２の例では、画像商材として、サイズおよびページ数の異なる５件のフォトブックが提示される。
【０１２０】
画像商材が提示されると、商材取得部３０により、提示した１以上の画像商材の中から１つの画像商材を設定する画面が、幹事ユーザの端末装置１４の画像表示部６８に表示される。
【０１２１】
幹事ユーザは、画像商材を設定する画面において、指示入力部７０を介して、提示された１以上の画像商材の中から１つの画像商材を選択して設定する。図１２の例では、A4サイズの１６ページのフォトブックが設定されている。
【０１２２】
画像商材としてフォトブックが設定された後、「次へ」のボタンが押されると、例えば、「次へ」のボタンがタップまたはクリックされると、商材取得部３０により、幹事ユーザによって設定された１つの画像商材が取得される（ステップS2）。
【０１２３】
なお、「＜」のボタンが押されると、１つ前の画面に戻ることができる。これ以後の画面においても同様である。
【０１２４】
続いて、図１３に示すように、表紙デザイン設定部３２により、フォトブックの表紙ページのデザインを設定する画面が、幹事ユーザの端末装置１４の画像表示部６８に表示される。
【０１２５】
幹事ユーザは、表紙ページのデザインを設定する画面において、指示入力部７０を介して、１以上の表紙ページのデザイン、図１３の例では、３件の表紙ページのデザインの中から、１つの表紙ページのデザインを選択して設定する。また、幹事ユーザは、フォトブックの表紙ページのデザインの情報として、例えば、表紙ページに記載される最大２０文字までのフォトブックのタイトル、および、表紙ページの色を設定することができる。
【０１２６】
表紙ページのデザインが設定された後、「次へ」のボタンが押されると、表紙デザイン設定部３２により、幹事ユーザによって設定された表紙ページのデザインの情報が、幹事ユーザの端末装置１４から取得される（ステップS3）。
【０１２７】
続いて、図１４に示すように、寄せ書きデザイン設定部３４により、フォトブックの寄せ書きページのデザインを設定する画面が、幹事ユーザの端末装置１４の画像表示部６８に表示される。
【０１２８】
幹事ユーザは、寄せ書きページのデザインを設定する画面において、指示入力部７０を介して、１以上の寄せ書きのデザイン、図１４の例では、９件の寄せ書きのデザインの中から、１つの寄せ書きのデザインを選択して設定する。
【０１２９】
寄せ書きページのデザインが設定された後、「次へ」のボタンが押されると、寄せ書きデザイン設定部３４により、幹事ユーザによって設定された寄せ書きページのデザインの情報が、幹事ユーザの端末装置１４から取得される（ステップS4）。
【０１３０】
続いて、図１５に示すように、日程設定部３６により、画像および寄せ書きメッセージの募集締切日を設定する画面が、幹事ユーザの端末装置１４の画像表示部６８に表示される。
【０１３１】
幹事ユーザは、画像および寄せ書きメッセージの募集締切日を設定する画面において、指示入力部７０を介して、画像および寄せ書きメッセージの募集締切日を設定する。図１５の例では、プルダウンメニューによって、現在の日付から一定期間内の日付の一覧があらかじめ登録されている。幹事ユーザは、プルダウンメニューに登録されている日付の一覧の中から１つの日付、例えば、１２月２日を募集締切日として選択して設定する。
【０１３２】
画像および寄せ書きメッセージの募集締切日が設定された後、「次へ」のボタンが押されると、日程設定部３６により、幹事ユーザによって設定された画像および寄せ書きメッセージの募集締切日の情報が、幹事ユーザの端末装置１４から取得される（ステップS5）。
【０１３３】
続いて、図１６に示すように、日程設定部３６により、合成画像の作成期間を設定する画面が、幹事ユーザの端末装置１４の画像表示部６８に表示される。
【０１３４】
幹事ユーザは、合成画像の作成期間を設定する画面において、指示入力部７０を介して、合成画像の作成期間を設定する。図１６の例では、プルダウンメニューによって、画像および寄せ書きメッセージの募集の期間の締切日から３０日以内の日付の一覧があらかじめ登録されている。幹事ユーザは、プルダウンメニューに登録されている日付の一覧の中から１つの日付、例えば、１２月４日を選択することによって１２月２日〜４日を作成期間として設定する。
【０１３５】
合成画像の作成期間が設定された後、「次へ」のボタンが押されると、日程設定部３６により、幹事ユーザによって設定された合成画像の作成期間の情報が、幹事ユーザの端末装置１４から取得される（ステップS5）。
【０１３６】
続いて、図１７に示すように、日程設定部３６により、画像商品の配送日を設定する画面が、幹事ユーザの端末装置１４の画像表示部６８に表示される。
【０１３７】
画像商品の配送日は、日程設定部３６により、合成画像の作成期間の締切日から一定の期間の後の日付、図１７の例では、合成画像の作成期間の最終日である１２月４日から１６日後の１２月２０日に自動で設定される。
【０１３８】
幹事ユーザは、画像商品の配送日を設定する画面において、指示入力部７０を介して、画像商品の配送日を変更することができる。図１７の例では、例えば、追加料金を支払って、特急仕上げを指定することによって、画像商品の配送日を１２月２０日よりも前の日付に設定することができる。
【０１３９】
画像商品の配送日が設定された後、「次へ」のボタンが押されると、日程設定部３６により、画像商品の配送日の情報が取得される（ステップS5）。
【０１４０】
複数のユーザの端末装置１４から送信された複数の画像を用いて合成画像を作成する場合、期限管理が難しいが、画像処理装置１０では、期限管理を行うことができるため、幹事ユーザの負担を軽減することができる。
【０１４１】
また、幹事ユーザは、合成画像の作成に関わる各々の参加ユーザの重要度を設定することができる。幹事ユーザによって設定された参加ユーザの重要度の情報は、重要度設定部７２によって取得される（ステップS6）。
【０１４２】
また、幹事ユーザは、評価ユーザとして、複数の参加ユーザのうちの少なくとも一人の参加ユーザを設定することができる。幹事ユーザによって設定された評価ユーザの情報は、評価ユーザ設定部７４によって取得される（ステップS7）。
【０１４３】
続いて、図１８に示すように、設定保存部３８により、画像商材および日程の情報を確認する画面が、幹事ユーザの端末装置１４の画像表示部６８に表示される。
【０１４４】
幹事ユーザは、画像商材および日程の情報を確認する画面において、画像商材および日程の情報を確認し、その設定でよい場合には、「保存／ログイン」のボタンを押して次の画面へ進み、設定を変更したい場合には、「＜」のボタンを押して前の画面に戻る。
【０１４５】
「保存／ログイン」のボタンが押されると、図１９に示すように、設定保存部３８により、幹事ユーザが画像処理装置１０へログインするためのアカウント情報を入力する画面が、幹事ユーザの端末装置１４の画像表示部６８に表示される。
【０１４６】
幹事ユーザは、画像処理装置１０にログインするためのアカウント情報として、指示入力部７０を介して、幹事ユーザのメールアドレスおよび幹事パスワードを入力する。幹事ユーザが既に画像処理装置１０への会員登録を済ませている場合には、「ログイン」のボタンを押す。また、会員登録後に幹事パスワードを忘れた場合には、「パスワード忘れ」のボタンを押すことによって幹事パスワードを回復するための処理を行う。
【０１４７】
「ログイン」のボタンが押されると、アカウント情報保存部４０により、既に保存されているアカウント情報と、幹事ユーザによって入力されたアカウント情報とが比較され、両者が一致した場合に、幹事ユーザは画像処理装置１０にログインすることができる。
【０１４８】
一方、まだ会員登録を済ませていない場合には、「新規会員登録」のボタンを押すことによって新規に会員登録を行うための処理を行う。「新規会員登録」のボタンが押されると、アカウント情報保存部４０により、幹事ユーザによって入力されたメールアドレスおよび幹事パスワードが取得され、幹事ユーザのアカウント情報として保存される。幹事ユーザの端末装置１４は、会員登録の完了後、画像処理装置１０へログインすることができる。
【０１４９】
続いて、設定保存部３８により、商材取得部３０によって取得された画像商材、および、日程設定部３６によって取得された日程の情報が保存される。
【０１５０】
続いて、図２０に示すように、設定保存部３８により、幹事ユーザのログインと、画像商材および日程の情報の保存とが完了したことを表す画面が、幹事ユーザの端末装置１４の画像表示部６８に表示される。
【０１５１】
続いて、管理画面情報送付部４２により、管理画面にアクセスするためのURLを含むメッセージが送付される。また、このメッセージには、画像商材および日程の情報が保存されたことを表す通知が含まれている。
【０１５２】
また、図２０の例では、幹事ユーザだけでなく、指示入力部７０を介して、幹事ユーザ以外の参加ユーザのメールアドレスを入力することによって、幹事ユーザ以外の参加ユーザ、例えば、幹事ユーザの代理を務める副幹事ユーザのメールアドレス等にも、管理画面にアクセスするためのURLを含むメッセージを送付することができる。
【０１５３】
続いて、「次へ」のボタンが押されると、図２１に示すように、アップロード催促部４４により、参加ユーザの端末装置１４へ送付する招待状を作成するための画面が、幹事ユーザの端末装置１４の画像表示部６８に表示される。
【０１５４】
幹事ユーザは、招待状を作成するための画面において、指示入力部７０を介して、招待状に含めるメッセージを一定文字以内、図２１の例では、１５０文字以内で入力する。また、図２１の例では、「みんなの写真とメッセージでフォトブックを贈ろうよ！」という初期メッセージが自動で入力されている。これにより、幹事ユーザがメッセージを入力する手間を省くことができる。幹事ユーザは、初期メッセージをそのまま使用してもよいし、他のメッセージを入力してもよい。
【０１５５】
「次へ」のボタンが押されると、アップロード催促部４４により、招待状に含めるメッセージの情報が取得され、招待状が作成される（ステップS8）。
【０１５６】
続いて、図２２に示すように、アップロード催促部４４により、招待状の内容を確認するための画面が、幹事ユーザの端末装置１４の画像表示部６８に表示される。
【０１５７】
幹事ユーザは、招待状の内容を確認するための画面において、招待状の内容を確認し、その内容でよい場合には、「招待状送付画面へ」のボタンを押して次の画面へ進み、内容を変更したい場合には、「＜」のボタンを押して前の画面に戻る。
【０１５８】
「招待状送付画面へ」のボタンが押されると、図２３に示すように、アップロード催促部４４により、招待状を参加ユーザの端末装置１４へ送付するための画面が、幹事ユーザの端末装置１４の画像表示部６８に表示される。
【０１５９】
幹事ユーザは、招待状を送付するための画面において、指示入力部７０を介して、招待状を送付する手段として、図２３の例では、SNSのメッセージまたは電子メールを選択する。招待状は、「SNS」のボタンが押された場合、SNSのメッセージとして参加ユーザのSNSのアカウントに送付され、「メール」のボタンが押された場合、電子メールによって参加ユーザのメールアドレスに送付される。
【０１６０】
幹事ユーザは、合成画像の作成に関わる全ての参加ユーザに対して招待状を送付してもよいし、一部の参加ユーザのみに対して招待状を送付してもよい。
【０１６１】
SNSのメッセージまたは電子メールには、招待状の他、合成画像で使用される画像、画像の評価情報、寄せ書きメッセージ等を参加ユーザがアップロードする画面にアクセスするための招待用URL、および、共通パスワード、図２３の例では、「５８６５」が含まれている。
【０１６２】
「次へ」のボタンが押されると、アップロード催促部４４により、招待状が参加ユーザの端末装置１４に送付される（ステップS9）。
【０１６３】
参加ユーザは、招待状を参加ユーザの端末装置１４において受け取り、指示入力部７０を介して、招待用URLで示されるウェブサイトにアクセスする。
【０１６４】
招待用URLで示されるウェブサイトにアクセスすると、図２４に示すように、アップロード催促部４４により、受け取った招待状を表す画面が、参加ユーザの端末装置１４の画像表示部６８に表示される（ステップS10）。
【０１６５】
招待状には、幹事ユーザからのメッセージの他、参加ユーザへの要望として、合成画像において使用する画像および寄せ書きメッセージをアップロードすること、および、その募集締切日等の情報、本実施形態の場合、１２月２日（水）の２３：５９が表示される。
【０１６６】
参加ユーザは、招待状を表す画面を閲覧して、幹事ユーザから参加ユーザへの要望が、フォトブックにする画像および寄せ書きメッセージのアップロードであり、その募集締切日が、１２月２日であることを理解する。
【０１６７】
続いて、「利用規約に同意する」のチェックボックスがチェックされ、「次へ」のボタンが押されると、図２５に示すように、アカウント情報保存部４０により、合成画像において使用される画像、画像の評価情報、寄せ書きメッセージ等を参加ユーザがアップロードする画面にアクセスするための共通パスワードを入力するための画面が、参加ユーザの端末装置１４の画像表示部６８に表示される。
【０１６８】
参加ユーザは、共通パスワードを入力するための画面において、指示入力部７０を介して、受け取った招待状に含まれている共通パスワード、図２５の例では、「５８６５」を入力する。
【０１６９】
共通パスワードが入力され、「次へ」のボタンが押されると、図２６に示すように、アカウント情報保存部４０により、新規な参加ユーザを登録するための画面が、参加ユーザの端末装置１４の画像表示部６８に表示される。
【０１７０】
新規な参加ユーザを登録するための画面には、既に参加ユーザとして登録済みのユーザ（現在の参加メンバー）の名前が表示される。登録済みの参加ユーザの名前を表示することは必須ではない。しかし、登録済みの参加ユーザの名前を表示することによって、ユーザが新規に参加ユーザとして登録する場合に、自分が知っている名前が登録済みの参加ユーザの名前の中にあれば、安心して登録を行うことができる。
【０１７１】
参加ユーザは、まだ参加ユーザとして画像処理装置１０に登録していない場合、「新規登録」のボタンを押し、既に参加ユーザとして登録済みの場合には、「内容修正」のボタンを押す。
【０１７２】
「新規登録」のボタンが押されると、図２７に示すように、アカウント情報保存部４０により、参加ユーザとして登録する名前および個別パスワード（図２７では「秘密のコトバ」と表示される）を登録するための画面が、参加ユーザの端末装置１４の画像表示部６８に表示される。
【０１７３】
参加ユーザは、指示入力部７０を介して、名前として本名またはニックネームを入力し、秘密のコトバとして任意の文字列を入力する。
【０１７４】
参加ユーザの名前および秘密のコトバは、参加ユーザのアカウント情報となる。参加ユーザは、図２６に示すように、新規な参加ユーザを登録するための画面において、「内容修正」のボタンを押し、既に登録済みの名前および秘密のコトバを入力することによって、既にアップロードした画像、画像の評価情報、寄せ書きメッセージ等を修正することができる。
【０１７５】
参加ユーザの名前および秘密のコトバが入力され、「次へ」のボタンが押されると、アカウント情報保存部４０により、その参加ユーザの名前および秘密のコトバが取得され、参加ユーザのアカウント情報として保存される。
【０１７６】
続いて、図２８に示すように、画像取得部４６により、参加ユーザがアップロードする画像を選択するための画面が、参加ユーザの端末装置１４の画像表示部６８に表示される。
【０１７７】
参加ユーザは、アップロードする画像を選択するための画面において、「画像追加」のボタンを押すことによって、アップロードする画像を選択することができる。アップロードする画像を選択するための画面には、参加ユーザによって選択された画像の枚数が表示される。
【０１７８】
アップロードする画像が選択された後、「次へ」のボタンが押されると、画像取得部４６により、参加ユーザからアップロードされた画像、つまり、参加ユーザの端末装置１４から投稿された画像が取得される（ステップS11）。このように、画像取得部４６は、２以上の参加ユーザの端末装置１４から送信された複数の画像を取得する。また、画像取得部４６によって画像が取得される毎に、画像解析部５８により画像の解析が行われ、評価値算出部６０により、画像の解析結果に基づいて画像の解析評価値が算出される（ステップS12）。
【０１７９】
続いて、図２９に示すように、評価情報取得部４８により、２以上の参加ユーザの端末装置１４から送信された複数の画像の各々を評価するための画面が、参加ユーザの端末装置１４の画像表示部６８に表示される。
【０１８０】
参加ユーザは、各々の画像を評価するための画面において、指示入力部７０を介して、各々の画像に対して高評価または低評価を表す評価情報を付与することができる。例えば、参加ユーザは、各々の画像を閲覧し、自分が好きな画像に対して、「いいね」のボタンを押すことによって高評価を表す評価情報を付与し、嫌いな画像に対して、「いまいち」のボタンを押すことによって低評価を表す評価情報を付与することができる。
【０１８１】
参加ユーザは、例えば、参加ユーザの端末装置１４の画像表示部６８において、複数の画像の中から１つの画像を選択し、選択した画像を拡大表示させ、拡大表示させた画像に対して評価情報を付与することができる。あるいは、参加ユーザは、複数の画像を縮小画像として表示させ、表示させた各々の縮小画像に対して評価情報を付与してもよい。
【０１８２】
なお、参加ユーザが複数の画像を縮小画像として表示させた場合に、評価情報取得部４８によって高評価を表す評価情報が取得される毎に、評価数算出部５４により、各々の画像に対する高評価を表す評価情報の数を算出し、評価情報取得部４８により、各々の画像に対する高評価を表す評価情報の数が多いほど、各々の画像に対応する縮小画像を拡大して表示させてもよい。
これにより、参加ユーザは、縮小画像の中から、高評価を表す評価情報の数が多い画像に絞り込んで評価情報を付与することができる。
【０１８３】
また、評価情報取得部４８は、画像取得部４６が、複数のユーザのうちの一人の第２ユーザ、例えば、複数の参加ユーザのうちの一人の参加ユーザの端末装置１４から取得した画像に対して、その画像をアップロードした参加ユーザ自身が評価情報を付与することを禁止してもよい。
これにより、評価情報の公平性を保つことができる。
【０１８４】
各々の参加ユーザの端末装置１４から各々の画像に対して高評価および低評価を表す評価情報が付与されると、評価情報取得部４８により、各々の画像に対して付与された高評価および低評価を表す評価情報が、参加ユーザの端末装置１４から取得される（ステップS13）。
【０１８５】
なお、画像取得部４６が各々の画像を取得する毎に、評価催促部７６により、各々の画像に対する評価情報の付与を催促する催促情報を、複数のユーザの端末装置１４に対して送付してもよい。また、評価ユーザ設定部７４により、評価ユーザの情報を取得した場合、評価催促部７６により、催促情報を評価ユーザの端末装置１４に対してのみ送付することができる。
これにより、各々の画像に対する評価情報を、参加ユーザから取得しやすくすることができる。
【０１８６】
また、複数の画像のうち、各々の画像を評価するための画面が各々のユーザの端末装置１４の画像表示部６８において表示される場合に、お勧め情報表示部８６により、解析評価値が閾値を超える画像に対して、お勧め画像であることを表す情報を表示してもよい。
これにより、各々の参加ユーザは、複数の画像を評価する場合に、お勧め画像、つまり、解析評価値が高い画像に絞り込んで評価を行うことができる。
【０１８７】
評価情報が付与された後、「次へ」のボタンが押されると、図３０に示すように、メッセージ取得部５０により、寄せ書きページがフォトブックの巻末に入ることを通知する画面が、参加ユーザの端末装置１４の画像表示部６８に表示される。
【０１８８】
参加ユーザは、寄せ書きページがフォトブックの巻末に入ることを通知する画面を閲覧して確認する。
【０１８９】
続いて、「次へ」のボタンが押されると、図３１に示すように、メッセージ取得部５０により、寄せ書きページにおいて使用する参加ユーザのプロフィール画像を設定するための画面が、参加ユーザの端末装置１４の画像表示部６８に表示される。
【０１９０】
参加ユーザは、プロフィール画像を設定するための画面を押すことによって、参加ユーザが参加ユーザの端末装置１４において所有する画像の中からプロフィール画像として使用する画像を選択して設定することができる。また、参加ユーザは、「削除」のボタンを押すことによって、既に設定したプロフィール画像を削除し、再度、プロフィール画像を設定し直すことができる。
【０１９１】
参加ユーザがプロフィール画像を設定した後、「次へ」のボタンが押されると、画像取得部４６により、参加ユーザによって設定されたプロフィール画像が、参加ユーザの端末装置１４から取得される（ステップS14）。
【０１９２】
続いて、図３２に示すように、メッセージ取得部５０により、寄せ書きメッセージを入力するための画面が、参加ユーザの端末装置１４の画像表示部６８に表示される。
【０１９３】
参加ユーザは、寄せ書きメッセージを入力するための画面において、指示入力部７０を介して、寄せ書きページに含めるメッセージを１５０文字以内で入力する。図３２の例では、「結婚おめでとう。  …  幸せになってください。」という初期メッセージが自動で入力されている。これにより、参加ユーザがメッセージを入力する手間を省くことができる。参加ユーザは、初期メッセージをそのまま使用してもよいし、他のメッセージを入力してもよい。
【０１９４】
また、参加ユーザは、寄せ書きメッセージを入力するための画面において、「他の人の寄せ書きを見る」のボタンを押すことによって、他の参加ユーザが既にアップロードした寄せ書きメッセージを閲覧することができる。
【０１９５】
参加ユーザが寄せ書きメッセージを入力した後、「入力完了」のボタンが押されると、図３３に示すように、メッセージ取得部５０により、参加ユーザが入力した寄せ書きメッセージを確認するための画面が、参加ユーザの端末装置１４の画像表示部６８に表示される。
【０１９６】
参加ユーザは、寄せ書きメッセージを確認する画面において、寄せ書きメッセージを閲覧して確認し、そのメッセージでよい場合には、「投稿する」のボタンを押して次の画面へ進み、メッセージを変更したい場合には、「＜」のボタンを押して前の画面に戻る。
【０１９７】
「投稿する」のボタンが押されると、メッセージ取得部５０により、参加ユーザから投稿された寄せ書きメッセージ、つまり、参加ユーザの端末装置１４からアップロードされた寄せ書きメッセージが取得される（ステップS15）。
【０１９８】
このように、複数のユーザの画像を用いてフォトブック等の合成画像を作成する場合に、フォトブックの本編ページだけでなく、寄せ書きページを含めることによって、フォトブックの受取人に対する各々の参加ユーザの気持ちを寄せ書きメッセージとして伝えることができる。
【０１９９】
続いて、図３４に示すように、寄せ書きメッセージの投稿が完了したことを表す画面が、参加ユーザの端末装置１４の画像表示部６８に表示される。
【０２００】
続いて、「完了」のボタンが押されると、画像、画像の評価情報および寄せ書きメッセージのアップロードは完了する。
【０２０１】
続いて、日程設定部３６により、画像および寄せ書きメッセージの募集締切日を過ぎたことが検出されると、画像数算出部５２により、画像取得部４６によって取得された画像の数が算出される（ステップS16）。また、評価数算出部５４により、評価情報取得部４８によって取得された高評価および低評価を表す評価情報の数が算出され（ステップS17）、メッセージ数算出部５６により、メッセージ取得部５０によって取得された寄せ書きメッセージの数が算出される（ステップS18）。
【０２０２】
続いて、評価値算出部６０により、各々の画像に対する高評価および低評価を表す評価情報、例えば、評価情報の数に基づいて、各々の画像の解析評価値に対して値が加減算されて、各々の画像の総合評価値が算出される（ステップS19）。
【０２０３】
前述のように、画像が取得される毎に、画像を解析して、その解析評価値を算出することは必須ではない。しかし、画像が取得される毎に、画像を解析して、その解析評価値を算出しておくことにより、全ての画像を取得した後に画像をまとめて解析して解析評価値を算出する場合と比べて、画像の総合評価値を短時間で算出することができ、その結果、合成画像の作成にかかる時間を短縮することができる。
【０２０４】
例えば、評価値算出部６０により、一定の期間のうち、高評価を表す評価情報が付与された時刻が遅いほど重みが重くなるように重み付けした値を、各々の画像の解析評価値に対して加算して総合評価値を算出してもよい。
【０２０５】
参加ユーザが画像をアップロードする一定の期間において、先にアップロードされた画像の方が、後からアップロードされた画像よりも参加ユーザによって閲覧される機会が多くなり、例えば、参加ユーザによって付与される高評価を表す評価情報の数が多くなる可能性が高い。言い換えると、画像の募集締切日の直前にアップロードされた画像は、参加ユーザによって閲覧される機会が少なくなり、たとえ参加ユーザの好みの画像であったとしても、参加ユーザによって付与される高評価を表す評価情報の数が少なくなる可能性が高い。
従って、先にアップロードされた画像よりも後からアップロードされた画像の方が参加ユーザの好みの画像であっても、先にアップロードされた画像の方が、画像に付与される高評価を表す評価情報の数が多くなり、総合評価値が高くなる可能性が高い。
これに対し、画像に対して高評価を表す評価情報が付与された時刻が遅いほど、その画像の総合評価値を高くすることにより、アップロード時刻に関わらず画像の総合評価値を公平に算出することができる。
【０２０６】
また、各々の画像を閲覧した参加ユーザの数に対する高評価を表す評価情報を付与した参加ユーザの数の割合が大きくなるほど重みが重くなるように重み付けした値を、各々の画像の解析評価値に対して加算して総合評価値を算出してもよい。
【０２０７】
例えば、画像を閲覧した１０人の参加ユーザのうち、その画像に対して高評価を表す評価情報を付与した参加ユーザの数が８人である場合よりも、画像を閲覧した３人の参加ユーザのうち、その画像に対して高評価を表す評価情報を付与した参加ユーザの数が３人である場合の方が、参加ユーザの好みが高い画像であると考えることができる。従って、前者よりも後者の場合の画像の総合評価値を高くすることが望ましい。
【０２０８】
上記の場合において、各々の画像を閲覧した参加ユーザの数が多くなるほど重みが重くなるように重み付けした値を、各々の画像の解析評価値に対して加算して総合評価値を算出してもよい。
【０２０９】
画像を閲覧した参加ユーザの数が少ない場合よりも、画像を閲覧した参加ユーザの数が多い場合の方が、より多くの参加ユーザにとって関心の高い画像であると考えることができる。従って、前者よりも後者の場合の画像の総合評価値を高くすることが望ましい。
【０２１０】
また、複数の画像に含まれる画像の閲覧回数が少ない参加ユーザの端末装置１４から取得された高評価を表す評価情報よりも、閲覧回数が多い参加ユーザの端末装置１４から取得された高評価を表す評価情報の方が、重みが重くなるように重み付けした値を、各々の画像の解析評価値に対して加算して総合評価値を算出してもよい。
【０２１１】
前者よりも後者の方が、合成画像に対する関心が高い参加ユーザによって評価情報が付与されたと考えることができる。従って、前者よりも後者の場合の画像の総合評価値を高くすることが望ましい。
【０２１２】
また、重要度設定部７２により、各々の参加ユーザの重要度の情報を取得した場合、評価値算出部６０により、重要度が低い参加ユーザの端末装置１４から取得された高評価を表す評価情報よりも、重要度が高い参加ユーザの端末装置１４から取得された高評価を表す評価情報の方が、重みが重くなるように重み付けした値を、各々の画像の解析評価値に対して加算して総合評価値を算出してもよい。
【０２１３】
これにより、複数の参加ユーザのうち、重要度が高い参加ユーザによって評価情報が付与された画像の総合評価値を高くすることができる。
【０２１４】
また、複数の画像に写っていない参加ユーザの端末装置１４から取得された高評価を表す評価情報よりも、複数の画像に写っている参加ユーザの端末装置１４から取得された高評価を表す評価情報の方が、重みが重くなるように重み付けした値を、各々の画像の解析評価値に対して加算して総合評価値を算出してもよい。
【０２１５】
前者よりも後者の方が、合成画像において使用する画像との関連性の高い参加ユーザによって評価情報が付与されたと考えることができる。従って、前者よりも後者の場合の画像の総合評価値を高くすることが望ましい。
【０２１６】
また、画像取得部４６が、複数のユーザのうちの一人の第２ユーザ、例えば、複数の参加ユーザのうちの一人の参加ユーザの端末装置１４から取得した画像に対して、その画像をアップロードした参加ユーザ以外の参加ユーザによって付与された高評価を表す評価情報よりも、画像をアップロードした参加ユーザによって付与された高評価を表す評価情報の方が、重みが重くなるように重み付けした値を、各々の画像の解析評価値に対して加算して総合評価値を算出してもよい。
【０２１７】
前者よりも後者の方が、アップロードされた画像についてより詳しい参加ユーザによって評価情報が付与されたと考えることができる。従って、前者よりも後者の場合の画像の総合評価値を高くすることが望ましい。
【０２１８】
また、コメント取得部７８により、複数のユーザの端末装置１４から、複数の参加ユーザによって付与された各々の画像に対するコメントを取得し、評価値算出部６０により、複数の画像のうち、コメントが付与された画像の解析評価値に対して値を加算して総合評価値を算出してもよい。
【０２１９】
コメントが付与された画像は、参加ユーザにとって関心の高い画像であると考えることができる。従って、コメントが付与された画像の総合評価値を高くすることが望ましい。
【０２２０】
また、グループ形成部８０により、各々の画像の解析結果に基づいて、複数の画像のうち、互いに類似する複数の類似画像を特定して、各々複数の類似画像を含む１以上のグループを形成し、評価値算出部６０により、グループ毎に、グループに含まれる複数の類似画像に対する高評価および低評価を表す評価情報に基づいて、複数の類似画像の各々の解析評価値に対して値を加減算して総合評価値を算出してもよい。
【０２２１】
例えば、評価値算出部６０により、一律に同じ値を、グループに含まれる各々の類似画像の解析評価値に対して加算して総合評価値を算出してもよい。
【０２２２】
例えば、グループに含まれる複数の類似画像のうちの１つの類似画像に対して、一人の参加ユーザが高評価を表す評価情報を付与した場合、その参加ユーザは、他の類似画像も同様に好みの画像であると考えることができる。従って、グループに含まれる複数の類似画像の総合評価値を一律に高くすることが望ましい。
【０２２３】
また、各々の類似画像の解析評価値が大きいほど重みが重くなるように重み付けした値を、グループに含まれる各々の類似画像の解析評価値に対して加算して総合評価値を算出してもよい。
【０２２４】
解析評価値が大きい類似画像であるほど、画質の良い画像である。従って、グループに含まれる複数の類似画像のうち、画質の良い画像であるほど総合評価値を高くすることが望ましい。
【０２２５】
また、類似画像抽出部８２により、グループ毎に、グループに含まれる複数の類似画像のうち、解析評価値が閾値を超える第１類似画像を抽出し、評価値算出部６０により、グループに含まれる複数の類似画像に対する高評価を表す評価情報の数が多いほど重みが重くなるように重み付けした値を、類似画像抽出部８２によって抽出された各々の第１類似画像の解析評価値に対して加算して総合評価値を算出してもよい。
【０２２６】
このように、第１類似画像の画質と、類似画像に付与された高評価を表す評価情報とを組み合わせることにより、グループに含まれる複数の類似画像のうち、高画質であり、かつ、参加ユーザの好みの画像の総合評価値を高くすることができる。
【０２２７】
また、類似画像特定部８４により、グループ毎に、グループに含まれる複数の類似画像のうち、高評価を表す評価情報の数が最も多い第２類似画像を特定し、評価値算出部６０により、類似画像特定部８４によって特定された第２類似画像に対する高評価を表す評価情報の数が多いほど重みが重くなるように重み付けした値を、各々の類似画像の解析評価値に対して加算して総合評価値を算出してもよい。
【０２２８】
これにより、グループに含まれる複数の類似画像のうち、高評価を表す評価情報の数が最も多い第２類似画像に付与された評価情報の数に応じて、他の類似画像の総合評価値を高くすることができる。
【０２２９】
また、グループに含まれる複数の類似画像に対する高評価を表す評価情報の数が多いほど重みが重くなるように重み付けした値を、各々の類似画像の解析評価値に対して加算して総合評価値を算出してもよい。
【０２３０】
高評価を表す評価情報が付与された数が多いほど、参加ユーザの好みの画像であると考えることができる。従って、高評価を表す評価情報の数が多いほど、グループに含まれる複数の類似画像の総合評価値を高くすることが望ましい。
【０２３１】
以上のように、画像処理装置１０では、複数の類似画像が存在する場合でも、複数の類似画像に対する高評価および低評価を表す評価情報に基づいて、各々の類似画像を正しく評価して総合評価値を算出することができる。
【０２３２】
続いて、幹事ユーザは、幹事ユーザの端末装置１４において、指示入力部７０を介して、合成画像作成部２６に対して合成画像の作成を指示する。
【０２３３】
合成画像作成部２６に対して合成画像の作成が指示されると、表紙作成部６２により、表紙ページのデザインの情報に対応するデザインであり、幹事ユーザによって設定されたタイトルが記載され、幹事ユーザによって設定された色の表紙ページが作成される（ステップS20）。
【０２３４】
続いて、本編作成部６４により、画像取得部４６によって取得された複数の画像のうちの少なくとも１つの画像を用いて、フォトブックの本編ページが作成される（ステップS21）。
【０２３５】
本編作成部６４では、画像分割部により、画像取得部４６によって取得された複数の画像が、本編ページのページ数に対応する複数のグループに分割される。
【０２３６】
続いて、画像抽出部により、画像のグループ毎に、画像の総合評価値に基づいて、例えば、総合評価値が最も高い画像から順に、グループに含まれる画像の中から、本編ページにおいて使用する複数の合成対象画像が抽出される。
【０２３７】
続いて、画像配置部により、画像のグループ毎に、画像の総合評価値に基づいて、各々の合成対象画像のサイズおよび本編ページにおける配置位置が決定され、合成対象画像が、各々対応する本編ページに配置される。例えば、本編ページに配置される複数の合成対象画像のうち、総合評価値が最も高い合成対象画像が、他の合成対象画像よりも大きいサイズで、そのページの中央位置に配置される。
【０２３８】
続いて、寄せ書き作成部６６により、参加ユーザのプロフィール画像および寄せ書きメッセージを用いて、寄せ書きページのデザインの情報に対応するデザインの寄せ書きページが作成される（ステップS22）。
【０２３９】
寄せ書き作成部６６では、メッセージ分割部により、メッセージ取得部５０によって取得された寄せ書きメッセージが、寄せ書きページのページ数に対応する数のグループに分割される。
【０２４０】
続いて、メッセージ配置部により、寄せ書きメッセージのグループ毎に、例えば、グループに含まれる寄せ書きメッセージと対応する参加ユーザのプロフィール画像とが組み合わされて、寄せ書きメッセージのグループに対応するページの寄せ書きページに配置されて寄せ書きページが作成される。各々の寄せ書きページにおいて、寄せ書きメッセージは、例えば、寄せ書きメッセージがアップロードされた順序で順次配置される。
【０２４１】
上記のように、表紙作成部６２、本編作成部６４および寄せ書き作成部６６によって、２以上の参加ユーザの端末装置１４から取得された複数の画像、参加ユーザのプロフィール画像および寄せ書きメッセージを用いて、それぞれ、表紙ページのデザインの情報に対応する表紙ページ、本編ページ、および、寄せ書きページのデザインの情報に対応する寄せ書きページを含むフォトブックが自動で作成される。
【０２４２】
画像処理装置１０では、本編ページだけでなく、寄せ書きページを含むフォトブック等の合成画像を作成することができる。また、画像の総合評価値に基づいて、本編ページにおいて使用する画像の他、各々の画像のサイズおよび本編ページにおける配置位置等を決定することによって、画像の良し悪しだけでなく、複数の参加ユーザの好みを反映した合成画像を作成することができる。
【０２４３】
幹事ユーザは、幹事ユーザの端末装置１４において、自動で作成された表紙ページ、本編ページおよび寄せ書きページからなるフォトブックの各ページを閲覧する。幹事ユーザは、自動で作成されたフォトブックをそのまま採用してもよいし、各ページの内容、例えば、各ページにおいて使用する画像、画像のサイズ、画像および寄せ書きメッセージの配置位置等を編集してもよい。また、コメントの追加、スタンプ画像の追加、各ページの背景の種類および色の変更等を行うことができる。
【０２４４】
幹事ユーザは、日程設定部３６によって設定された合成画像の作成期間内、本実施形態の場合、１２月４日までにフォトブックの作成を完了し、作成を完了したフォトブックの内容で画像商品を注文する（ステップS23）。幹事ユーザが注文する画像商品には、紙媒体のフォトブックおよび電子データのフォトブックの少なくとも一方が含まれる。
【０２４５】
画像商品が注文されると、注文された画像商品のフォトブックが作成され、日程設定部３６によって設定された画像商品の配送日、本実施形態の場合、１２月２０日までに配送先へ送付される（ステップS24）。紙媒体のフォトブックの場合には、例えば、紙媒体のフォトブックが配送先へ送付され、電子データのフォトブックの場合には、例えば、電子データのフォトブック、あるいは電子データをダウンロードするためのURL等が配送先のメールアドレスへ送付される。
【０２４６】
以上のように、画像処理装置１０では、複数の参加ユーザの端末装置１４から取得された複数の画像および寄せ書きメッセージを用いて、寄せ書きページを含むフォトブック等の合成画像を作成することができる。
【０２４７】
なお、幹事ユーザだけが合成画像を作成することは必須ではなく、合成画像の作成に関わる複数のユーザが共同で合成画像を作成してもよいし、複数のユーザのうちの少なくとも一人のユーザが合成画像を作成してもよい。
【０２４８】
画像処理装置１０を構成する各部位の具体的な構成は特に限定されず、同様の機能を果たすことができる各種構成のものを利用することができる。
また、上記実施形態では、サーバ１２が情報設定部１８、情報管理部２０、データ取得部２２、データ解析部２４および合成画像作成部２６を備えているが、これらのうちの少なくとも１つをユーザの端末装置１４が備えていてもよい。
【０２４９】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０２５０】
以上、本発明について詳細に説明したが、本発明は上記実施形態に限定されず、本発明の主旨を逸脱しない範囲において、種々の改良や変更をしてもよいのはもちろんである。
【符号の説明】
【０２５１】
１０  画像処理装置
１２  サーバ
１４  端末装置（クライアント）
１６  ネットワーク
１８  情報設定部
２０  情報管理部
２２  データ取得部
２４  データ解析部
２６  合成画像作成部
２８  予算設定部
３０  商材取得部
３２  表紙デザイン設定部
３４  寄せ書きデザイン設定部
３６  日程設定部
３８  設定保存部
４０  アカウント情報保存部
４２  管理画面情報送付部
４４  アップロード催促部
４６  画像取得部
４８  評価情報取得部
５０  メッセージ取得部
５２  画像数算出部
５４  評価数算出部
５６  メッセージ数算出部
５８  画像解析部
６０  評価値算出部
６２  表紙作成部
６４  本編作成部
６６  寄せ書き作成部
６８  画像表示部
７０  指示入力部
７２  重要度設定部
７４  評価ユーザ設定部
７６  評価催促部
７８  コメント取得部
８０  グループ形成部
８２  類似画像抽出部
８４  類似画像特定部
８６  お勧め情報表示部
【図１】
0006586380.tif 000002
【図２】
0006586380.tif 000003
【図３】
0006586380.tif 000004
【図４】
0006586380.tif 000005
【図５】
0006586380.tif 000006
【図６】
0006586380.tif 000007
【図７】
0006586380.tif 000008
【図８】
0006586380.tif 000009
【図９】
0006586380.tif 000010
【図１０】
0006586380.tif 000011
【図１１】
0006586380.tif 000012
【図１２】
0006586380.tif 000013
【図１３】
0006586380.tif 000014
【図１４】
0006586380.tif 000015
【図１５】
0006586380.tif 000016
【図１６】
0006586380.tif 000017
【図１７】
0006586380.tif 000018
【図１８】
0006586380.tif 000019
【図１９】
0006586380.tif 000020
【図２０】
0006586380.tif 000021
【図２１】
0006586380.tif 000022
【図２２】
0006586380.tif 000023
【図２３】
0006586380.tif 000024
【図２４】
0006586380.tif 000025
【図２５】
0006586380.tif 000026
【図２６】
0006586380.tif 000027
【図２７】
0006586380.tif 000028
【図２８】
0006586380.tif 000029
【図２９】
0006586380.tif 000030
【図３０】
0006586380.tif 000031
【図３１】
0006586380.tif 000032
【図３２】
0006586380.tif 000033
【図３３】
0006586380.tif 000034
【図３４】
0006586380.tif 000035